【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
ａ．１重量パーセントから２９重量パーセントのジフルオロメタン、
ｂ．１重量パーセントから１９重量パーセントのペンタフルオロエタン、
ｃ．９重量パーセントから４２重量パーセントの１，１，２，２−テトラフルオロエタン、又は１，１，２，２−テトラフルオロエタン及び１，１，１，２−テトラフルオロエタンの混合物、並びに、
ｄ．３４重量パーセントから６８重量パーセントの、２，３，３，３−テトラフルオロプロペン、Ｅ−１，３，３，３−テトラフルオロプロペン、又はそれらの混合物を含む、組成物であって
ここで、成分（ａ）の成分（ｂ）に対する比率は、最大１．５：１であり、かつ、成分（ｃ）の成分（ｄ）に対する比率は、０．０４：１以上である、組成物。
【請求項２】
ａ．３重量パーセントから２３重量パーセントのジフルオロメタン、
ｂ．２重量パーセントから１６重量パーセントのペンタフルオロエタン、
ｃ．２６重量パーセントから４２重量パーセントの、１，１，２，２−テトラフルオロエタン、及び、
ｄ．３４重量パーセントから５３重量パーセントの、２，３，３，３−テトラフルオロプロペンを含む、請求項１に記載の組成物。
【請求項３】
ａ．１０重量パーセントから２８重量パーセントのジフルオロメタン、
ｂ．６重量パーセントから１９重量パーセントのペンタフルオロエタン、
ｃ．１６重量パーセントから２５重量パーセントの１，１，２，２−テトラフルオロエタン、及び、
ｄ．３８重量パーセントから５８重量パーセントのＥ−１，３，３，３−テトラフルオロプロペンを含む、請求項１に記載の組成物。
【請求項４】
ａ．１０重量パーセント〜１４重量パーセントのジフルオロメタン、
ｂ．１３重量パーセント〜１６重量パーセントのペンタフルオロエタン、
ｃ．２重量パーセント〜３０重量パーセントの１，１，２，２−テトラフルオロエタン及び０重量パーセント〜２９重量パーセントの１，１，１，２−テトラフルオロエタン、並びに、
ｄ．４０重量パーセント〜５０重量パーセントの２，３，３，３−テトラフルオロプロペンを含む、請求項１に記載の組成物。
【請求項５】
ａ．１１重量パーセント〜１３重量パーセントのジフルオロメタン、
ｂ．１４重量パーセント〜１５重量パーセントのペンタフルオロエタン、
ｃ．５重量パーセント〜２８重量パーセントの１，１，２，２−テトラフルオロエタン及び１５重量パーセント〜２９重量パーセントの１，１，１，２−テトラフルオロエタン、並びに、
ｄ．４４重量パーセント〜４６重量パーセントの２，３，３，３−テトラフルオロプロペンを含む、請求項４に記載の組成物。
【請求項６】
熱ポンプにおいて加熱を生じさせる方法であって、作動用流体冷却器(working fluid cooler)において、請求項１に記載の組成物を含む作動用流体から熱を取り出すことによって、冷却した作動用流体を製造する工程を含む、方法。
【請求項７】
冷却を生じさせる方法であって、請求項１に記載の組成物を、冷却すべき物体の近傍において蒸発させる工程と、その後、前記組成物を凝縮する工程とを含む、方法。
【請求項８】
蒸発器、圧縮機、凝縮器、及び膨張装置を含む伝熱システムであって、前記システムが請求項１に記載の組成物を含む、伝熱システム。
【請求項９】
ジフルオロメタン、ペンタフルオロエタン、２，３，３，３−テトラフルオロプロペン、並びに、１，１，２，２−テトラフルオロエタン又は１，１，２，２−テトラフルオロエタン及び１，１，１，２−テトラフルオロエタンの混合物を含む冷媒組成物であって、前記組成物が、
Ａ．１０重量パーセント〜１４重量パーセントのジフルオロメタン、
Ｂ．１３重量パーセント〜１６重量パーセントのペンタフルオロエタン、
Ｃ．０重量パーセント〜２９重量パーセントの１，１，１，２−テトラフルオロエタン、
Ｄ．２重量パーセント〜３０重量パーセントの１，１，２，２−テトラフルオロエタン、及び、
Ｅ．４０重量パーセント〜５０重量パーセントの２，３，３，３−テトラフルオロプロペンを含み、前記組成物が、エアーコンディショニング設備において３５℃以上の環境温度にて用いられる、冷媒組成物。
【手続補正２】
【補正対象書類名】明細書
【補正対象項目名】０２２４
【補正方法】変更
【補正の内容】
【０２２４】
実施形態Ｉ５：自動車用エアーコンディショニング装置を包含する、実施形態Ｉ１〜実施形態Ｉ３のいずれかに記載の伝熱システム。
本発明は以下の実施の態様を含む。
１．ａ．１重量パーセントから２９重量パーセントのジフルオロメタン、ｂ．１重量パーセントから１９重量パーセントのペンタフルオロエタン、ｃ．９重量パーセントから４２重量パーセントの１，１，２，２−テトラフルオロエタン、１，１，１，２−テトラフルオロエタン、又はそれらの混合物、並びに、ｄ．３４重量パーセントから６８重量パーセントの、２，３，３，３−テトラフルオロプロペン、Ｅ−１，３，３，３−テトラフルオロプロペン又はそれらの混合物を含む、組成物であって、ここで、前記組成物が２，３，３，３−テトラフルオロプロペンを含有する場合、前記組成物はまた、少なくともいくらかの１，１，２，２−テトラフルオロエタンも含有し、ここで、成分（ａ）の成分（ｂ）に対する比率は、最大１．５：１であり、かつ、成分（ｃ）の成分（ｄ）に対する比率は、０．０４：１以上である、組成物。
２．（ａ）ジフルオロメタン、（ｂ）ペンタフルオロエタン、（ｃ）１，１，２，２−テトラフルオロエタン、及び（ｄ）Ｅ−１，３，３，３−テトラフルオロプロペンからなる、前記１に記載の組成物。
３．（ａ）ジフルオロメタン、（ｂ）ペンタフルオロエタン、（ｃ）１，１，１，２−テトラフルオロエタン、及び（ｄ）Ｅ−１，３，３，３−テトラフルオロプロペンからなる、前記１に記載の組成物。
４．（ａ）ジフルオロメタン、（ｂ）ペンタフルオロエタン、（ｃ）１，１，２，２−テトラフルオロエタン、及び（ｄ）２，３，３，３−テトラフルオロプロペンからなる、前記１に記載の組成物。
５．（ａ）ジフルオロメタン、（ｂ）ペンタフルオロエタン、（ｃ）１，１，２，２−テトラフルオロエタン及び１，１，１，２−テトラフルオロエタン、並びに（ｄ）２，３，３，３−テトラフルオロプロペンからなる、前記１に記載の組成物。
６．成分（ａ）の成分（ｂ）に対する比率が、１：１以上である、前記１に記載の組成物。
７．成分（ａ）の成分（ｂ）に対する比率が、１：１から１．５：１の範囲内にある、前記１に記載の組成物。
８．成分（ｃ）の成分（ｄ）に対する比率が、最大０．８０：１である、前記１に記載の組成物。
９．成分（ｃ）の成分（ｄ）に対する比率が、０．０４：１から０．８０：１の範囲内にある、前記１に記載の組成物。
１０．前記組成物が、同じサイクル条件にて、ＨＦＣ−１３４ａの体積加熱容量(volumetric heating capacity)に対し１０５％以上の体積加熱容量を提供する、前記１に記載の組成物。
１１．前記組成物が、６０℃にて、ＡＳＴＭ−Ｅ６８１により定められる場合に非可燃性である、前記１に記載の組成物。
１２．前記組成物が１０００未満のＧＷＰを有する、前記１に記載の組成物。
１３．ａ．３重量パーセントから２３重量パーセントのジフルオロメタン、ｂ．２重量パーセントから１６重量パーセントのペンタフルオロエタン、ｃ．２６重量パーセントから４２重量パーセントの、１，１，２，２−テトラフルオロエタン、及び、ｄ．３４重量パーセントから５３重量パーセントの、２，３，３，３−テトラフルオロプロペンを含む、前記１に記載の組成物。
１４．（ａ）ジフルオロメタン、（ｂ）ペンタフルオロエタン、（ｃ）１，１，２，２−テトラフルオロエタン、及び（ｄ）２，３，３，３−テトラフルオロプロペンからなる、前記１３に記載の組成物。
１５．ａ．１０重量パーセントから２８重量パーセントのジフルオロメタン、ｂ．６重量パーセントから１９重量パーセントのペンタフルオロエタン、ｃ．１６重量パーセントから２５重量パーセントの１，１，２，２−テトラフルオロエタン、及び、ｄ．３８重量パーセントから５８重量パーセントのＥ−１，３，３，３−テトラフルオロプロペンを含む、前記１に記載の組成物。
１６．（ａ）ジフルオロメタン、（ｂ）ペンタフルオロエタン、（ｃ）１，１，２，２−テトラフルオロエタン、及び（ｄ）Ｅ−１，３，３，３−テトラフルオロプロペンからなる、前記１５に記載の組成物。
１７．ａ．９重量パーセントから２９重量パーセントのジフルオロメタン、ｂ．６重量パーセントから１９重量パーセントのペンタフルオロエタン、ｃ．９重量パーセントから１６重量パーセントの１，１，１，２−テトラフルオロエタン、及び、ｄ．４２重量パーセントから６８重量パーセントのＥ−１，３，３，３−テトラフルオロプロペンを含む、前記１に記載の組成物。
１８．（ａ）ジフルオロメタン、（ｂ）ペンタフルオロエタン、（ｃ）１，１，１，２−テトラフルオロエタン、及び、（ｄ）Ｅ−１，３，３，３−テトラフルオロプロペンからなる、前記１７に記載の組成物。
１９．ジフルオロメタンのペンタフルオロエタンに対する比率が、１．２：１から１．５：１である、前記１７に記載の組成物。
２０．ジフルオロメタンのペンタフルオロエタンに対する比率が、１．３：１から１．５：１である、前記１７に記載の組成物。
２１．ａ．１０重量パーセント〜１４重量パーセントのジフルオロメタン、ｂ．１３重量パーセント〜１６重量パーセントのペンタフルオロエタン、ｃ．２重量パーセント〜３０重量パーセントの１，１，２，２−テトラフルオロエタン及び０重量パーセント〜２９重量パーセントの１，１，１，２−テトラフルオロエタン、並びに、ｄ．４０重量パーセント〜５０重量パーセントの２，３，３，３−テトラフルオロプロペンを含む、前記１に記載の組成物。
２２．ａ．１１重量パーセント〜１３重量パーセントのジフルオロメタン、ｂ．１４重量パーセント〜１５重量パーセントのペンタフルオロエタン、ｃ．５重量パーセント〜２８重量パーセントの１，１，２，２−テトラフルオロエタン及び１５重量パーセント〜２９重量パーセントの１，１，１，２−テトラフルオロエタン、並びに、ｄ．４４重量パーセント〜４６重量パーセントの２，３，３，３−テトラフルオロプロペンを含む、前記２１に記載の組成物。
２３．（ａ）ジフルオロメタン、（ｂ）ペンタフルオロエタン、（ｃ）１，１，２，２−テトラフルオロエタン及び１，１，１，２−テトラフルオロエタン、並びに（ｄ）２，３，３，３−テトラフルオロプロペンからなる、前記２１に記載の組成物。
２４．熱ポンプにおいて加熱を生じさせる方法であって、作動用流体冷却器(working fluid cooler)において、前記１に記載の組成物を含む作動用流体から熱を取り出すことによって、冷却した作動用流体を製造する工程を含む、方法。
２５．熱ポンプにおいて加熱を生じさせる方法であって、熱は少なくとも２つのカスケード加熱段（cascade heating stage）の間にて交換され、第１のカスケード加熱段において、選択された、より低い温度にて、第１の作動用流体における熱を吸収する工程と、この熱を、より高い作動用流体温度にて熱を排出する第２のカスケード加熱段の第２の作動用流体に、移す工程とを含み、前記第１の作動用流体又は前記第２の作動用流体のうちの少なくとも一つは、前記１に記載の組成物を含有する、方法。
２６．冷却を生じさせる方法であって、前記１に記載の組成物を、冷却すべき物体の近傍において蒸発させる工程と、その後、前記組成物を凝縮する工程とを含む、方法。
２７．高い環境温度においてエアーコンディショニングを作り出す方法であって、前記１に記載の組成物を蒸発させる工程と、その後、前記組成物を凝縮する工程とを含む、方法。
２８．前記環境温度が３５℃以上である、前記２７に記載の方法。
２９．高温熱ポンプにおけるＨＣＦＣ−２２、Ｒ−４１０Ａ、Ｒ−４０７Ｃ、ＨＦＣ−１３４ａ又はＣＦＣ−１２の作動用流体を代替する方法であって、前記１に記載の組成物を含む代替の作動用流体を、前記高温熱ポンプに供給する工程を含む、方法。
３０．高温環境用エアーコンディショニング装置におけるＨＣＦＣ−２２を代替するために提供される方法であって、前記１に記載の組成物を前記装置に供給する工程を含む、方法。
３１．産業用エアーコンディショニング装置におけるＨＣＦＣ−１２４を代替するために提供される方法であって、前記１に記載の組成物を前記装置に供給する工程を含む、方法。
３２．蒸発器、圧縮機、凝縮器、及び膨張装置を含む伝熱システムであって、前記システムが前記１に記載の組成物を含む、伝熱システム。
３３．熱ポンプ装置を含む、前記３２に記載の伝熱システム。
３４．エアーコンディショニング装置を含む、前記３３に記載の伝熱システム。
３５．前記エアーコンディショニング装置が、３５℃を超える環境温度のため設計されたものである、前記３４に記載の伝熱システム。
３６．自動車用エアーコンディショニング装置を含む、前記３２に記載の伝熱システム。
３７．成分（ｃ）の成分（ｄ）に対する比率が、０．２３：１以上である、前記１に記載の組成物。
３８．ジフルオロメタンのペンタフルオロエタンに対する重量比が、１：０．９から１：１．６の範囲内にある、前記２０に記載の冷媒組成物。
３９．１，１，１，２−テトラフルオロエタン及び１，１，２，２−テトラフルオロエタンの合計の、２，３，３，３−テトラフルオロプロペンに対する重量比が、１：１．３７から１：１．９の範囲内にある前記２０に記載の冷媒組成物。
４０．前記組成物が、ジフルオロメタン、ペンタフルオロエタン、２，３，３，３−テトラフルオロプロペン、及び１，１，２，２−テトラフルオロエタンを含み、１，１，２，２−テトラフルオロエタンの２，３，３，３−テトラフルオロプロペンに対する重量比が、１：１．３から１：２３の範囲内にある、前記２０に記載の冷媒組成物。
４１．前記冷媒組成物が非可燃性である、前記２０に記載の冷媒組成物。
４２．前記冷媒組成物が、エアーコンディショニング設備において用いられる場合、５Ｋ以下の平均グライド（average glide）を有する、前記２０に記載の組成物。
４３．前記冷媒組成物が１０００未満のＧＷＰを有する、前記２０に記載の組成物。
４４．冷却を生じさせる方法であって、前記２０に記載の組成物を、冷却すべき物体の近傍において蒸発させる工程と、その後、前記組成物を凝縮する工程とを含む、方法。
４５．前記冷却すべき物体が、３５℃以上の環境温度における住居又は建物である、前記４４に記載の方法。
４６．エアーコンディショニングシステムであって、蒸発器、圧縮機、凝縮器、及び膨張装置を含み、前記システムは前記２０に記載の組成物を含有する、エアーコンディショニングシステム。
４７．前記凝縮器を４５℃以上の温度にて運転する、前記４６に記載のエアーコンディショニングシステム。
４８．前記システムは、同じ条件でのＲ−２２の冷却容量に対し２０％以内の冷却容量にて運転する、前記４６に記載のエアーコンディショニングシステム。
４９．前記システムは、同じ条件でのＲ−２２のＣＯＰに対し３％以内のＣＯＰにて運転する、前記４６に記載のエアーコンディショニングシステム。
５０．エアーコンディショニングシステムにおけるＲ−２２を代替する方法であって、Ｒ−２２と置き換えて、前記２０に記載の組成物を前記エアーコンディショニングシステムに供給する工程を含む、方法。
５１．ジフルオロメタン、ペンタフルオロエタン、２，３，３，３−テトラフルオロプロペン、並びに、１，１，２，２−テトラフルオロエタン若しくは１，１，２，２−テトラフルオロエタン及び１，１，１，２−テトラフルオロエタンの混合物を含む冷媒組成物であって、前記組成物が、Ａ．１０重量パーセント〜１４重量パーセントのジフルオロメタン、Ｂ．１３重量パーセント〜１６重量パーセントのペンタフルオロエタン、Ｃ．０重量パーセント〜２９重量パーセントの１，１，１，２−テトラフルオロエタン、Ｄ．２重量パーセント〜３０重量パーセントの１，１，２，２−テトラフルオロエタン、及び、Ｅ．４０重量パーセント〜５０重量パーセントの２，３，３，３−テトラフルオロプロペンを含み、前記組成物は、エアーコンディショニング設備において３５℃以上の環境温度にて用いられる、冷媒組成物。
５２．冷却を生じさせる方法であって、前記５１に記載の組成物を、冷却すべき物体の近傍において蒸発させる工程と、その後、前記組成物を凝縮する工程とを含む、方法。
５３．熱ポンプにおいて加熱を生じさせる方法であって、熱交換器において、前記２０に記載の組成物を含む作動用流体から熱を取り出すことによって、冷却した作動用流体を製造する工程を含む、方法。
５４．前記熱ポンプが住居用熱ポンプであり、かつ、前記熱交換器を５０℃以下の温度にて運転する、前記５３に記載の方法。
５５．前記熱ポンプが高温熱ポンプであり、かつ、前記熱交換器を、５０℃を超える温度にて運転する、前記５３に記載の方法。
５６．前記凝縮器を５０℃以上の温度にて運転する、前記３３に記載の熱ポンプシステム。